(57)【要約】【課題】広告素材取得に特化した飛翔物体を大気圏外に飛翔させ頻繁に広告素材を取得し、またコンピュータネットワークを用いて広告募集を行うことにより多くの広告依頼を募集するものである。【解決手段】コンピュータネットワーク上で広告を募集する手段と、大気圏外を飛翔する飛翔物体に搭載された画像表示装置に広告を表示する手段と、大気圏外を飛翔する飛翔物体に表示された広告画像を取得する手段と、取得した画像を電波により地上装置に伝える手段と、取得した画像をコンピュータネットワークに接続された端末上に表示する手段とを有する。【選択図】図１
2007304531.tif 000002
【特許請求の範囲】
【請求項１】
大気圏外を飛翔する飛翔物体に搭載された画像表示装置ならびに画像取得装置を利用する広告方法において、
コンピュータネットワーク上で広告を募集する手段と、大気圏外を飛翔する飛翔物体に搭載された画像表示装置に広告を表示する手段と、大気圏外を飛翔する飛翔物体に表示された広告画像を取得する手段と、取得した画像を電波により地上装置に伝える手段と、取得した画像をコンピュータネットワークに接続された端末上に表示する手段とからなることを特徴とする広告方法。
【請求項２】
大気圏外を飛翔する飛翔物体に搭載された画像表示装置ならびに画像取得装置を利用する広告方法において、
コンピュータネットワーク上で広告を募集する手段と、コンピュータネットワークに接続された端末上に広告を表示する手段と、大気圏外を飛翔する飛翔物体に搭載された画像表示装置に広告を表示する手段と、大気圏外を飛翔する飛翔物体に表示された広告画像を取得する手段と、取得した画像を電波により地上装置に伝える手段と、取得した画像をコンピュータネットワークに接続された端末上に表示する手段とからなることを特徴とする広告方法。
【請求項３】
大気圏外を飛翔する飛翔物体に搭載された画像表示装置ならびに画像取得装置を利用する広告方法において、
コンピュータネットワーク上で広告を募集する手段と、コンピュータネットワークに接続された端末上に広告を表示する手段と、大気圏外を飛翔する飛翔物体に搭載された画像表示装置に広告を表示する手段と、大気圏外を飛翔する飛翔物体に表示された広告画像を取得する手段と、取得した画像を電波により地上装置に伝える手段と、取得した画像を衛星回線に接続された端末に衛星回線で伝える手段と、衛星回線に接続された端末上に表示する手段とからなることを特徴とする広告方法。
【請求項４】
大気圏外を飛翔する飛翔物体に搭載された画像表示装置ならびに画像取得装置を利用する広告方法において、
コンピュータネットワーク上で広告を募集する手段と、大気圏外を飛翔する飛翔物体に搭載された画像表示装置に広告を表示する手段と、大気圏外を飛翔する飛翔物体に表示された広告画像を取得する手段と、取得した画像を光通信により地上装置に伝える手段と、取得した画像をコンピュータネットワークに接続された端末上に表示する手段とからなることを特徴とする広告方法。
【請求項５】
大気圏外を飛翔する飛翔物体に搭載された画像表示装置ならびに画像取得装置を利用する広告方法において、
コンピュータネットワーク上で広告を募集する手段と、コンピュータネットワークに接続された端末上に広告を表示する手段と、大気圏外を飛翔する飛翔物体に搭載された画像表示装置に広告を表示する手段と、大気圏外を飛翔する飛翔物体に表示された広告画像を取得する手段と、取得した画像を光通信により地上装置に伝える手段と、取得した画像をコンピュータネットワークに接続された端末上に表示する手段とからなることを特徴とする広告方法。
【請求項６】
大気圏外を飛翔する飛翔物体に搭載された画像表示装置ならびに画像取得装置を利用する広告方法において、
コンピュータネットワーク上で広告を募集する手段と、コンピュータネットワークに接続された端末上に広告を表示する手段と、大気圏外を飛翔する飛翔物体に搭載された画像表示装置に広告を表示する手段と、大気圏外を飛翔する飛翔物体に表示された広告画像を取得する手段と、取得した画像を光通信により地上装置に伝える手段と、取得した画像を衛星回線に接続された端末に衛星回線で伝える手段と、衛星回線に接続された端末上に表示する手段とからなることを特徴とする広告方法。
【発明の詳細な説明】
【発明の詳細な説明】
【技術分野】
【０００１】本発明は大気圏外を飛翔する飛翔物体に搭載された画像表示装置ならびに画像取得装置を利用する広告方法に関する。
【背景技術】
【０００２】大気圏外を飛翔する飛翔物体を用いた広告は、人工衛星打ち上げ時に使用されるロケット外壁上の広告塗装によって行われている。あるいは宇宙飛行士が滞在する宇宙ステーション内に設置された画像取得装置により画像を取得し、宇宙ステーションからの通信回線により地上へ伝送し広告媒体を通して広告されている。
【発明の開示】
【発明が解決しようとする課題】
【０００３】ロケット外壁上の塗装では、ロケット打ち上げ時の１回の映像でのみ広告素材を取得するため、さまざまな広告主の依頼に頻繁に対応して広告素材を取得することはできない。また宇宙飛行士による撮影は宇宙飛行士のスケジュール制約があり同じく頻繁に広告素材を取得することができない。
【課題を解決するための手段】
【０００４】本発明は上記課題を解決するものであって、広告素材取得に特化した飛翔物体を大気圏外に飛翔させ頻繁に飛翔物体が飛行している期間は何度でも広告素材を取得し、またコンピュータネットワークを用いて広告募集を行うことにより多くの広告依頼を募集するものである。【０００５】すなわち本発明の第一は大気圏外を飛翔する飛翔物体に搭載された画像表示装置ならびに画像取得装置を利用する広告方法において
コンピュータネットワーク上で広告を募集する手段と、大気圏外を飛翔する飛翔物体に搭載された画像表示装置に広告を表示する手段と、大気圏外を飛翔する飛翔物体に表示された広告画像を取得する手段と、取得した画像を電波により地上装置に伝える手段と、取得した画像をコンピュータネットワークに接続された端末上に表示する手段とからなることを特徴とする広告方法である。【０００６】本発明の第二は大気圏外を飛翔する飛翔物体に搭載された画像表示装置ならびに画像取得装置を利用する広告方法において、
コンピュータネットワーク上で広告を募集する手段と、コンピュータネットワークに接続された端末上に広告を表示する手段と、大気圏外を飛翔する飛翔物体に搭載された画像表示装置に広告を表示する手段と、大気圏外を飛翔する飛翔物体に表示された広告画像を取得する手段と、取得した画像を電波により地上装置に伝える手段と、取得した画像をコンピュータネットワークに接続された端末上に表示する手段とからなることを特徴とする広告方法である。【０００７】本発明の第三は大気圏外を飛翔する飛翔物体に搭載された画像表示装置ならびに画像取得装置を利用する広告方法において
コンピュータネットワーク上で広告を募集する手段と、コンピュータネットワークに接続された端末上に広告を表示する手段と、大気圏外を飛翔する飛翔物体に搭載された画像表示装置に広告を表示する手段と、大気圏外を飛翔する飛翔物体に表示された広告画像を取得する手段と、取得した画像を電波により地上装置に伝える手段と、取得した画像を衛星回線に接続された端末に衛星回線で伝える手段と、衛星回線に接続された端末上に表示する手段とからなることを特徴とする広告方法である。【０００８】本発明の第四は大気圏外を飛翔する飛翔物体に搭載された画像表示装置ならびに画像取得装置を利用する広告方法において、
コンピュータネットワーク上で広告を募集する手段と、大気圏外を飛翔する飛翔物体に搭載された画像表示装置に広告を表示する手段と、大気圏外を飛翔する飛翔物体に表示された広告画像を取得する手段と、取得した画像を光通信により地上装置に伝える手段と、取得した画像をコンピュータネットワークに接続された端末上に表示する手段とからなることを特徴とする広告方法である。【０００９】本発明の第五は大気圏外を飛翔する飛翔物体に搭載された画像表示装置ならびに画像取得装置を利用する広告方法において、
コンピュータネットワーク上で広告を募集する手段と、コンピュータネットワークに接続された端末上に広告を表示する手段と、大気圏外を飛翔する飛翔物体に搭載された画像表示装置に広告を表示する手段と、大気圏外を飛翔する飛翔物体に表示された広告画像を取得する手段と、取得した画像を光通信により地上装置に伝える手段と、取得した画像をコンピュータネットワークに接続された端末上に表示する手段とからなることを特徴とする広告方法である。【００１０】大気圏外を飛翔する飛翔物体に搭載された画像表示装置ならびに画像取得装置を利用する広告方法において、
コンピュータネットワーク上で広告を募集する手段と、コンピュータネットワークに接続された端末上に広告を表示する手段と、大気圏外を飛翔する飛翔物体に搭載された画像表示装置に広告を表示する手段と、大気圏外を飛翔する飛翔物体に表示された広告画像を取得する手段と、取得した画像を光通信により地上装置に伝える手段と、取得した画像を衛星回線に接続された端末に衛星回線で伝える手段と、衛星回線に接続された端末上に表示する手段とからなることを特徴とする広告方法である。
【発明の効果】
【００１１】本発明により大気圏外から地球を背景とした広告素材を何度も頻繁に取得することが可能となり多くの広告主の要求に応えることが可能になる効果を有する。【００１２】また、本発明により大気圏外から月や星を背景とした広告素材を頻繁に取得することが可能となり、多くの広告主の要求に応えることが可能になる効果を有する。
【発明を実施するための最良の形態】
【実施例１】
【００１３】以下、本発明の実施の形態について図面を参照し説明する。図１は本発明を適用した人工衛星利用広告システムを示す説明図である。図中、１は広告を依頼する広告主、２はコンピュータネットワーク、３は広告募集サイト、４は人工衛星と通信を行う衛星運用設備、５は広告表示、広告画像取得を行う人工衛星、６は衛星運用設備と通信する人工衛星内に設置された無線通信装置、７は人工衛星上に設置された画像表示装置、８は画像表示装置に表示される広告データ、９は人工衛星上に設置された画像表示装置上の画像ならびに背景を撮影する画像取得装置、１０はコンピュータネットワーク内で広告を配信する広告配信サイト、１１はコンピュータネットワーク内で配信される衛星利用広告データ、１２は衛星通信回線を示す。【００１４】本システムを利用して広告を行う広告主１ａはコンピュータネットワーク２を通じて広告募集サイト３に広告を申し込み、広告データ８ａを送信する。他の広告主１ｂ、１ｃも同様にコンピュータネットワーク２を通じてそれぞれの広告データ８ｂ、８ｃを送信する。（広告募集手段）【００１５】広告募集サイト３において適切に処理されたそれぞれの広告データＡ、Ｂ、Ｃ、は衛星運用設備４へコンピュータネットワークを通じて送信され、衛星運用設備４から広告表示取得用人工衛星５に広告データを伝送する。データの伝送は人工衛星５内に設置された無線通信装置６により行われる。広告データを受け取った人工衛星５は人工衛星上に設置された画像表示装置７に受け取った広告データ８ａ、８ｂ、８ｃを表示する。（広告画像表示手段）【００１６】人工衛星５は画像表示装置７に表示された画像およびその背景となる地球、あるいは月、他の天体をあわせて画像取得装置９で撮影する。（広告画像取得手段）【００１７】画像取得装置９で撮影された衛星利用広告データ１１ａ、１１ｂ、１１ｃ、は人工衛星５内に設置された無線通信装置６を用いて衛星運用設備４へ伝送される。（取得画像伝送手段）【００１８】衛星運用設備４で受け取った衛星利用広告データ１１はコンピュータネットワークを通じて広告表示サイト１０へ送信される。広告表示サイト１０ではウェブページあるいは電子メールにより広告データ９を表示、配信する。（取得画像配信手段）【００１９】広告対象は広告表示サイト１０のウェブページにアクセスすることにより広告を受け取る。または衛星回線１２に接続された端末で衛星利用広告データを受け取る。
【実施例２】
【００２０】図２は人工衛星５内に光通信装置１３を設置している場合の実施例である。【００２１】本システムを利用して広告を行う広告主１ａはコンピュータネットワーク２を通じて広告募集サイト３に広告を申し込み、広告データ８ａを送信する。他の広告主１ｂ、１ｃも同様にコンピュータネットワーク２を通じてそれぞれの広告データ８ｂ、８ｃを送信する。（広告募集手段）【００２２】広告募集サイト３において適切に処理されたそれぞれの広告データＡ、Ｂ、Ｃ、は衛星運用設備４へコンピュータネットワークを通じて送信され、衛星運用設備４から広告表示取得用人工衛星５に広告データを伝送する。データの伝送は人工衛星５内に設置された無線通信装置６により行われる。または、人工衛星５内に設置された光通信装置１２により行われる。広告データを受け取った人工衛星５は人工衛星上に設置された画像表示装置７に受け取った広告データ８ａ、８ｂ、８ｃを表示する。（広告画像表示手段）【００２３】人工衛星５は画像表示装置７に表示された画像およびその背景となる地球、あるいは月、他の天体をあわせて画像取得装置９で撮影する。（広告画像取得手段）【００２４】画像取得装置９で撮影された衛星利用広告データ１１ａ、１１ｂ、１１ｃ、は人工衛星５内に設置された無線通信装置６を用いて衛星運用設備４へ伝送される。または、人工衛星５内に設置された光通信装置１２を用いて衛星運用設備４へ伝送される。（取得画像伝送手段）【００２５】衛星運用設備４で受け取った衛星利用広告データ１１はコンピュータネットワークを通じて広告表示サイト１０へ送信される。広告表示サイト１０ではウェブページあるいは電子メールにより広告データ９を表示、配信する。（取得画像配信手段）【００２６】潜在顧客は広告表示サイト１０のウェブページにアクセスすることにより広告を受け取る。または衛星回線１２に接続された端末で衛星利用広告データを受け取る。
【図面の簡単な説明】
【００２７】
【図１】本発明の衛星利用広告システム実施例１を説明するブロック図である。
【図２】本発明の衛星利用広告システム実施例２を説明するブロック図である。
【符号の説明】
【００２８】１：広告を依頼する広告主
２：コンピュータネットワーク
３：広告募集サイト
４：人工衛星と通信を行う衛星運用設備
５：広告表示、広告画像取得を行う人工衛星
６：衛星運用設備と通信する人工衛星内に設置された無線通信装置
７：人工衛星上に設置された画像表示装置
８：画像表示装置に表示される広告データ
９：人工衛星上に設置された画像表示装置上の画像ならびに背景を撮影する画像取得装置
１０：コンピュータネットワーク内で広告を配信する広告配信サイト
１１：コンピュータネットワーク内で配信される衛星利用広告データ
１２：衛星通信回線
１３：衛星運用設備と通信する人工衛星内に設置された光通信装置
【図１】
2007304531.tif 000003
【図２】
2007304531.tif 000004